(57)【要約】      （修正有）【課題】靴の使用実態に即した靴の防水性能試験と屈曲試験を同時に行うことができる防水性能試験装置を提供する。【解決手段】外部から観察可能な試験チャンバー、該試験チャンバーの内部に配設されていて、所定の位置から繰り返し屈曲可能になっていて靴を載置するための屈曲ベース、靴を屈曲ベースに固定するための靴固定装置であって、先端に靴を屈曲ベースに固定するための踵固定具を備え上方に踵固定具を上下方向に移動させるためのハンドルを具備する靴固定装置、屈曲ベースの靴の爪先部分に固定されていて屈曲ベースを上下方向に屈曲させることにより靴の爪先を屈曲させるためのコンロッド、該コンロッドを上下駆動させる駆動部、屈曲ベース上に載置されている靴の胛皮へ散水するためのシャワーノズル、該シャワーノズルへ水を供給する手段、及び靴の内部への浸水状態を感知するための浸水センサーとを備えたことを特徴とする。【選択図】図３
0003175007.tif 000002
【実用新案登録請求の範囲】
【請求項１】
靴の防水性能試験装置であって、
Ａ．外部から観察可能な試験チャンバー（５）、
Ｂ．前記試験チャンバー（５）の内部に配設されていて、所定の位置から繰り返し屈曲可能になっていて靴を載置するための屈曲ベース（１４）、
Ｃ．靴を屈曲ベース（１４）に固定するための靴固定装置（１６）であって、先端に靴を前記屈曲ベース（１４）に固定するための踵固定具（１５）を備え、上方に前記踵固定具（１５）を上下方向に移動させるためのハンドル（８）を具備する靴固定装置（１６）、
Ｅ．前記屈曲ベース（１４）の靴の爪先部分に固定されていて前記屈曲ベース（１４）を上下方向に屈曲させることにより靴の爪先を屈曲させるためのコンロッド（１０）、
Ｆ．前記コンロッド（１０）を上下駆動させる駆動部（２，３）、
Ｇ．前記屈曲ベース（１４）上に載置されている靴の胛皮へ散水するためのシャワーノズル（１２）、
Ｈ．前記シャワーノズル（１２）へ水を供給する手段（７）、及び
Ｉ．靴の内部への浸水状態を感知するための浸水センサー（９）とを備えた靴の防水性能試験装置。
【請求項２】
前記屈曲ベース（１４）の屈曲角度が０度〜５０度である請求項１記載の靴の防水性能試験装置。
【請求項３】
前記シャワーノズル（１２）は垂直及び水平方向へ移動可能で、且つ散水角度が調節可能になっている請求項１又は２に記載の靴の防水性能試験装置。
【請求項４】
前記試験チャンバー（５）へ注水される水の水位が調節可能になっている請求項１〜３のいずれか１項に記載の靴の防水性能試験装置。
【請求項５】
前記浸水センサー（９）が浸水を感知すると自動的に停止するようになっている請求項１〜４にいずれか１項に記載の靴の防水性能試験装置。
【考案の詳細な説明】
【技術分野】
【０００１】  本考案は靴の防水性能試験装置に関する。より詳細に述べれば、本発明は、靴を所定の深さの水中に浸漬させただけではなく、同時に雨天時を想定して靴全体に散水して、現実の環境に酷似した状態で靴の屈曲性能と防水性能を試験する靴の防水性能試験装置に関する。
【背景技術】
【０００２】  従来から、たとえば、「ゴアテックス（登録商標）」等各種の防水機能付き素材を使用した防水機能付き靴が市販されている。これら防水機能付き靴の防止機能を評価する方法または試験装置の従来技術の一例として、容器内に所定の深さ、たとえば５ｃｍ程度まで水を注水し、その中に靴を浸漬して６〜２４時間の静置状態で靴内に浸水が無いことと規定するものがある。然しながら、靴を履いたまま６〜２４時間静置状態であるような使用状況はあり得ないので、この従来技術で行った靴の防性性能は信頼性がなく、広範には認められていない。即ち、靴の実際の使用状況とは、歩行又は走行時の屈曲状態を再現することが必須である。【００１０】  そこで、靴の実際の使用状況を再現した屈曲試験と防水性能試験を複合させた靴類の屈曲試験装置が提案された。特許文献１は、概略、靴類に屈曲運動を直接的に負荷する主要部である靴類屈曲ユニット部Ｂを駆動させるモータ等含む駆動部Ａ、水槽部、箱体部、フレームおよび屈曲回数制御部を特定位置で配置し、水に浸漬した状態で爪先を靴類の外部より固定するとともにかかとを所定回数揺動させることにより靴類に屈曲運動をさせるように構成した靴類の屈曲試験装置を開示している。【００１１】  特許文献１が開示する従来技術では、つま先固定台の上方３ｃｍ〜５ｃｍまで水槽に注水し、靴類を水に浸漬した状態で屈曲試験を行っている（段落００１２〜００１３）。この場合、つま先固定台の上方３ｃｍの水位では、底の厚い靴の場合、胛皮と底の接着部程度が浸漬するに過ぎず、胛皮の上面まで完全には水に浸漬しない。ところで、ユーザーが実際に靴を使用する環境は、屋内或いは晴天時ばかりではなく、絶えず水を大量に使用する環境、或いは突然激しい降雨に遭遇する場合等多様である。従って、靴の防水機能は、最も厳しい使用環境、即ち、激しい降雨時を想定して試験しない限り、得られた防水性能は必ずしも信頼性があるとは言えない。このような観点から、特許文献１に記載されている従来技術は改良の余地がある。
【特許文献】
【特許文献１】実用新案登録第３０８４５５７号公報
【考案の概要】
【考案が解決しようとする課題】
【００１２】  従って、考案が解決しようとする課題は、ユーザーが実際に靴を使用する環境の中でも最も厳しい使用環境、即ち、激しい降雨時を想定して、胛皮の上面まで完全に水に浸漬させて、靴の防水性能試験と屈曲試験を同時に行うことができる装置を提供することである。
【課題を解決すべき手段】
【００１３】  上記の課題は、下記の各項に記載した発明により解決される。
１．靴の防水性能試験装置であって、Ａ．外部から観察可能な試験チャンバー、Ｂ．前記試験チャンバーの内部に配設されていて、所定の位置から繰り返し屈曲可能になっていて靴を載置するための屈曲ベース、Ｃ．靴を屈曲ベースに固定するための靴固定装置であって、先端に靴を前記屈曲ベースに固定するための踵固定具を備え、上方に前記踵固定具を上下方向に移動させるためのハンドルを具備した靴固定装置、Ｅ．前記屈曲ベースの靴の爪先部分に固定されていて前記屈曲ベースを上下方向に屈曲させることにより靴の爪先を屈曲させるためのコンロッド、Ｆ．前記コンロッドを上下駆動させる駆動部、Ｇ．前記屈曲ベース上に載置されている靴の胛皮へ散水するためのシャワーノズル、Ｈ．前記シャワーノズルへ水を供給する手段、及びＩ．靴の内部への浸水状態を感知するための浸水センサーとを備えた靴の防水性能試験装置。
【００１４】  前記１項において、屈曲ベースの屈曲角度を０度〜５０度とする。
【００１５】  前記１または２項において、シャワーノズルを垂直及び水平方向へ移動可能とし、且つ散水角度を調節可能にする。
【００１６】  前記１または２項において、試験チャンバーへ注水される水の水位を調節可能にする。
【００１７】  前記１〜４のいずれか１項において、浸水センサーが浸水を感知すると自動的に停止するようにする。
【考案の効果】
【００１８】  請求項１に記載した考案によれば、ユーザーが実際に靴を使用する環境の中でも最も厳しい使用環境、即ち、激しい降雨時を想定して、胛皮の上面まで完全に水に浸漬させて、靴の防水性能試験と屈曲試験を同時に行うことができるので、通常の歩行時にける水たまり、水を大量に使用する職場環境、降雨、バイクによるドライビング時等等多種多様な靴の使用実態に即した防水性能を評価することが可能となる。
【００１９】  請求項２に記載した考案によれば、請求項１に記載した考案において、屈曲ベースの屈曲角度を０度〜５０度で変えることができるので、屈曲角度が０度、即ち水平で長時間の立ち位置にある場合、ウオーキング等通常の歩行時、ジョギング等ゆっくりした走行時、マラソン等長距離走行時、短距離走行等全速での走行時等多様な靴の使用態様に即した防水性能を評価することが可能となる。
【００２０】  請求項３に記載した考案によれば、請求項１又は２に記載した考案において、シャワーノズルを垂直及び水平方向へ移動可能とし、且つ散水角度を調節可能にしたので、ローカットシューズ、ハイカットシューズ等多様なデザイン、タイプの靴に即した防水性能を評価することが可能となる。
【００２１】  請求項４に記載した考案によれば、請求項１〜３のいずれか１項に記載した考案において、試験チャンバーへ注水される水位を調節可能としたので、靴底から胛皮が非連続的に濡れる浅い水たまり、靴底から胛皮が常時濡れる程度の深い水たまり等多様な靴の使用環境に即した防水性能を評価することが可能となる。
【００２２】  請求項５に記載した考案によれば、請求項１〜４のいずれか１項に記載した考案において、浸水センサーが浸水を感知すると自動的に停止するようにしたので、防水性能を瞬時に確認することができる。
【図面の簡単な説明】
【００２３】
【図１】本考案の一例の靴の防水性能試験装置の全体を示す斜視図。
【図２】図１の縦断面図。
【図３】本考案の一例の靴の防水性能試験装置の主要部拡大図。
【考案を実施するための形態】
【００２４】  以下、図面を参照して、実施例及び比較例により、本考案を具体的に説明する。
図１〜３において、５は試験チャンバーである。試験チャンバー５は、外部から観察可能な材料、好ましくはアクリル等で製造することが好ましい。試験チャンバー５は、上面開口であるが、注水するので全体として水密構造になっている。
【００２５】  外部から観察可能な試験チャンバー５の底部には、屈曲ベース１４が配設されている。屈曲ベース１４の上には靴を載置することができるようになっている。屈曲ベース１４には、その靴の爪先部分に対向して前記屈曲ベース１４を上下方向に屈曲させるためのコンロッド１０が固着されている。コンロッド１０は、コンロッドアジャスタ４を介してコンロッド１０を上下運動させるための駆動部に接続されている。駆動部は減速機２及びクランク３を備えている。屈曲ベース１４は、コンロッド１０を上下運動させることにより靴の爪先が屈曲させるようになっている。屈曲角度は、クランク３とコンロッドアジャスタ４を調節することにより屈曲ベースの屈曲角度を０度〜５０度で変えることができるようになっている。屈曲角度が０度、即ち水平で長時間の立ち位置にある状態から、歩行または走行状態により爪先と地面が形成する角度に合わせて徐々に大きくなるようになっているので、ウオーキング等通常の歩行時、ジョギング等ゆっくりした走行時、マラソン等長距離走行時、短距離走行等全速での走行時等多様な靴の使用態様に即した角度にすることが可能である。
【００２６】  図１〜３において、１６は靴を屈曲ベース１４に固定するための靴固定装置である。靴固定装置１６の先端には靴の踵部分を前記屈曲ベース１４に固定するための踵固定具１５が取り付けてある。踵固定具１５の形状に関して説明する。従来技術では、靴型（ラスト）を靴の中に挿入して靴底全体を屈曲ベースに固定しているが、本考案における踵固定具１５はブロック状で踵だけを押圧して屈曲ベース１４に固定するようにしてある。その理由は、靴は、歩行又は走行時には、踏み付け部を中心にして屈曲するので、従来技術のように靴型（ラスト）を靴の中に挿入して靴底全体を屈曲ベースに固定した場合、歩行又は走行時の屈曲状態が正確に把握できないからである。８は、靴固定装置１６の他方の端部に取り付けてあるハンドルである。ハンドル８を回転することにより、踵固定具１５を上下方向に移動させることができるようになっている。
【００２７】  図１〜３において１２は前記屈曲ベース１４上に載置されている靴の胛皮へ散水するためのシャワーノズルである。シャワーノズル１２の形状、能力は特段に限定されないが、たとえばＪＩＳ  Ｌ−１０９２に準じたものが使用される。靴を実際に使用する場合は、履き口、鳩目部分はズボンの裾で隠れるので、Ｒシャワーノズル１２で散水される靴の部分は、主として前胛部分で充分である。但し、靴のどの部分を散水するは、靴のタイプ、用途等により個別に決定されるべきである。６は水槽で、７は水槽６に貯留されている水をシャワーノズル１２へ供給する手段で、通常ポンプである。水槽６に貯留されている水を、ポンプ７でシャワーノズル１２へ供給し、試験チャンバー５の中で降雨状態を再現するようになっている。試験チャンバー５は、上面開口であるが、全体として水密構造になっているので、シャワーノズル１２で靴の胛皮へ散水された水は、試験チャンバー５の内部に滞留するようになっている。試験チャンバー５の内部に滞留する水の水位は、液面ホース１３の高さを調節することにより一定以上の深さにならないように維持するようになっている。即ち、シャワーノズル１２で試験チャンバー５の内部に供給された水が一定量以上になった場合、水槽６に排水、循環させて、再度シャワーノズル１２から試験チャンバー５へ供給するようになっている。このように、試験チャンバー５へ注水される水位を調節可能としたので、靴底から胛皮が非連続的に濡れる浅い水たまり、靴底から胛皮が常時濡れる程度の深い水たまり等多様な靴の使用環境に即した防水性能を評価することが可能となる。シャワーノズル１２から散水される水量は、流量バルブや流量計により、靴のタイプ、使用環境、使用態様等諸条件に応じて任意に調節される。たとえば、バイクシューズ等は流量を多くし、婦人靴等は降雨程度にする。流量は特段に限定されないが、たとえば、集中豪雨を想定した場合、試験チャンバー５のサイズが７８０ｍｍ×９００ｍｍ×６００ｍｍの場合、１時間当たり４５リットルを目安とする。このような構成にしたので、ユーザーが実際に靴を使用する環境の中で最も厳しい使用環境、即ち、激しい集中豪雨時を想定して、胛皮の上面まで完全に水に浸漬させて、靴の防水性能試験と屈曲試験を同時に行うことができるので、通常の歩行時にける水たまり、水を大量に使用する職場環境、降雨、バイクによるドライビング時等等多種多様な靴の使用実態に即した防水性能を評価することが可能となる。
【００２８】  図において、１７はシャワーノズル１２を垂直方向に移動可能に固定する垂直ロッドである。１８はシャワーノズル１２を水平方向に移動可能に固定する水平向ロッドである。
この構成により、シャワーノズル１２を垂直方向及び水平方向へ移動可能とし、且つシャワーノズル１２の散水角度を調節可能にしたので、ローカットシューズ、ハイカットシューズ等多様なデザイン、タイプの靴に即した防水性能を評価することが可能となる。
【００２９】  図において１は操作パネルで、屈曲回数を計数する手段、屈曲回数を制御する手段、モータの回転速度を測定する手段等防水性能試験装置を操作するのに必要な各種装置、機械、器具等が内蔵されている。９は靴の内部に浸水した水を感知する浸水センサーである。浸水センサー９の一方の端部は靴の内部に配設されていて、他方の端部は操作パネル１の所定の装置、機械、器具等に接続されていて、靴の内部への浸水を感知すると自動的に装置が停止するようになっている。
【産業上の利用分野】
【００３０】  以上詳述したように、本考案によると、靴の防水性能試験装置は、ユーザーが実際に靴を使用する多様な環境である晴天時の水たまり、水を常時大量に使用する労働環境、小雨から突発的な豪雨等を想定して、胛皮の上面まで完全に水に浸漬させて、靴の防水性能試験と屈曲試験を同時に行うことができるので、紳士靴、婦人靴、幼児用靴、ウオーキングシューズ、ジョギングシューズ、バイクのドライビングシューズ、ハイカットシューズ、ローカットシューズ等多種多様な用途及びタイプの靴の使用実態に即した防水性能を評価することが可能となる。従って、防水性能評価が信頼性があるものとなり、防水靴のマーチャンダイジングに寄与する。さらに、本考案の靴の防水性能試験装置自体が商取引の対象となる。
【符号の説明】
【００３１】１    操作パネル
２    減速機
３    クランク
４    コンロッドアジャスター
５    試験チャンバー
６    水槽
７    ポンプ
８    靴固定５
９    浸水センサー
１０  コンロッド
１１  給水ホース
１２  シャワーノズル
１３  液面ホース
１４  屈曲ベース
１５  踵固定具
１６  靴固定装置
１７  垂直ロッド
１８  水平ロッド
【図１】
0003175007.tif 000003
【図２】
0003175007.tif 000004
【図３】
0003175007.tif 000005